【手続補正書】
【提出日】平成20年2月12日(2008.2.12)
【手続補正１】
【補正対象書類名】特許請求の範囲
【補正対象項目名】全文
【補正方法】変更
【補正の内容】
【特許請求の範囲】
【請求項１】
（ａ）デジタル・ドキュメントの一部を読み込み、画面の一以上の表示特性に基づいて、該画面に該デジタル・ドキュメントの一部を表示し、
（ｂ）一以上の入力装置を介して、表示された前記デジタル・ドキュメントの一部に、一以上のフリーフォーム注釈を受け入れ、
（ｃ）完全に決定的な状態マシンを介して、前記一以上のフリーフォーム注釈を処理する、
フリーフォーム注釈を支援する方法。
【請求項２】
記憶コンポーネントと、表示コンポーネントと、処理コンポーネントと、を備え、
前記記憶コンポーネントが、デジタル・ドキュメントと一以上のソフトウェア・コンポーネントとを維持し、
前記表示コンポーネントが、
該表示コンポーネントの一以上の表示特性に基づいて、前記デジタル・ドキュメントの一部を表示し、
一以上の入力装置を介して前記デジタル・ドキュメントの表示された一部に一以上のフリーフォーム注釈を受け入れ、
前記処理コンポーネントが、完全に決定的な状態マシンを介して、一以上の前記フリーフォーム注釈を処理する、
フリーフォーム注釈を支援するシステム。
【請求項３】
前記記憶コンポーネントが、メモリ又は持続記憶装置である、請求項２に記載のシステム。
【請求項４】
一以上の前記入力装置の一が、マウス及びスタイラスの一である、請求項２に記載のフリーフォーム注釈を支援するシステム。
【請求項５】
一以上の前記フリーフォーム注釈の一が、ストローク、ジェスチュア、及び任意形状の手書きの一以上である、請求項２に記載のフリーフォーム注釈を支援するシステム。
【請求項６】
前記表示コンポーネントが、さらに、一以上の前記フリーフォーム注釈を入力するための領域を前記画面上に確保する、請求項２に記載のフリーフォーム注釈を支援するシステム。
【請求項７】
前記処理コンポーネントが、さらに、
作成、選択、変更、移動、削除、レンダリング、及び表示の少なくとも一を実行し、前記表示コンポーネントの一以上の前記表示特性に基づいて、一以上の注釈マークの一を該表示コンポーネントに表示する、ことによって、前記デジタル・ドキュメントの表示された前記一部の一以上の注釈マークを制御する、
請求項２に記載のフリーフォーム注釈を支援するシステム。
【請求項８】
一以上の前記注釈マークの一が、
前記デジタル・ドキュメントの一部の部分と関連するアンカー、
少なくとも二のアンカーを連結するリンク、及び
アンカー又はコネクタの何れかと関連するコメント、
の一である、請求項７に記載のフリーフォーム注釈を支援するシステム。
【請求項９】
前記アンカーが、アンダーライン、ハイライト、囲まれた語句、囲まれた領域、括弧、及びマージン・バーの一であり、
前記リンクが矢印及びコネクタの一である、
請求項８に記載のフリーフォーム注釈を支援するシステム。
【請求項１０】
前記記憶コンポーネントが、一以上の前記注釈マークを維持する、請求項７に記載のフリーフォーム注釈を支援するシステム。
【請求項１１】
前記処理コンポーネントは、さらに、前記注釈マーク上で一以上の前記入力装置の一をタップ、ホールド、及びリフトすることによって、該注釈マークの選択、移動、変更、及び削除の少なくとも一を実行する、請求項７に記載のフリーフォーム注釈を支援するシステム。
【請求項１２】
前記処理コンポーネントは、さらに、
前記注釈マークの境界ボックスをリトリーブすること、
前記注釈マークのサイズ変更及び／又は分割を行うこと、
表示中の前記デジタル・ドキュメントの前記一部の前記注釈マークを位置変更すること、
の少なくとも一により、前記注釈マークをレンダリングする、
請求項７に記載のフリーフォーム注釈を支援するシステム。
【請求項１３】
前記処理コンポーネントは、さらに、
前記コメントをレンダリングする領域を前記画面上に確保すること、及び／又は、
一以上の前記表示特性の一に基づいて、前記コメントのサイズ変更及び／又は位置変更を行うこと、
によって、前記コメントをレンダリングする、
請求項８に記載のフリーフォーム注釈を支援するシステム。
【請求項１４】
前記処理コンポーネントは、さらに、一以上の前記フリーフォーム注釈の一を認識することによって前記コメントの始まりを識別し、
前記フリーフォーム注釈が、
表示中の前記デジタル・ドキュメントのブランク領域でスタートし、及び／又は、
前記デジタル・ドキュメント上の任意の語句や画像と交わらない、
請求項８に記載のフリーフォーム注釈を支援するシステム。
【請求項１５】
前記処理コンポーネントは、さらに、一以上の前記フリーフォーム注釈の一を認識することによって、前記コメントの終わりを識別し、
前記フリーフォーム注釈が、
ボタンを含む、前記画面上の所定領域のクリック、
前記コメントの周りを囲むジェスチュア、
前記コメントを抹消する（ストライク・スルー・）ジェスチュア、
前記画面の下部で跳ね返るストローク、
手書きにおいて一般的ではない特殊なジェスチュア、
前記コメントの左又は右に描かれる縦方向のストローク、
の一である、
請求項８に記載のフリーフォーム注釈を支援するシステム。
【請求項１６】
デジタル・ドキュメントの一部を読み込み、画面の一以上の表示特性に基づいて、該画面に該デジタル・ドキュメントの一部を表示するステップと、
一以上の入力装置を介して、表示された前記デジタル・ドキュメントの一部に、一以上のフリーフォーム注釈を受け入れるステップと、
完全に決定的な状態マシンを介して、一以上の前記フリーフォーム注釈を処理するステップと、
を、システムに実行させるフリーフォーム注釈を支援するプログラム。
【請求項１７】
デジタル・ドキュメントの一部を読み込み、画面の一以上の表示特性に基づいて、該画面に該デジタル・ドキュメントの一部を表示する手段と、
一以上の入力装置を介して、表示された前記デジタル・ドキュメントの一部に、一以上のフリーフォーム注釈を受け入れる手段と、
完全に決定的な状態マシンを介して、前記一以上のフリーフォーム注釈を処理する手段と、
を備えるフリーフォーム注釈を支援するシステム。
【手続補正２】
【補正対象書類名】明細書
【補正対象項目名】０００８
【補正方法】変更
【補正の内容】
【０００８】
本発明の第１の態様は、一以上の情報処理装置において実行され、一以上の前記情報処理装置の一の情報処理装置は、ＰＤＡ、タブレットＰＣ、ポケットＰＣ、携帯電話、電子メッセージ装置、ジャバ（Ｊａｖａ（登録商標））対応装置、ラップトップＰＣ、デスクトップＰＣ、ワークステーション、及び、メインフレーム・コンピュータの何れかであるようにしてもよい。
【手続補正３】
【補正対象書類名】明細書
【補正対象項目名】０００９
【補正方法】変更
【補正の内容】
【０００９】
本発明の第１の態様は、Ｃ、Ｃ＋＋、ビジュアル・ベーシック（Ｖｉｓｕａｌ  Ｂａｓｉｃ）、ジャバ（Ｊａｖａ（登録商標））、及びジャバ・アプレット（Ｊａｖａ（登録商標）  Ａｐｐｌｅｔ）の一以上のプログラム言語により実現されるようにしてもよい。
【手続補正４】
【補正対象書類名】明細書
【補正対象項目名】００１０
【補正方法】変更
【補正の内容】
【００１０】
本発明の第１の態様は、前記デジタル・ドキュメントは、テキスト・ファイル、画像、図、描画、グラフ、ピクチャ、及びビデオ・クリップの少なくとも一を含むようにしてもよい。
【手続補正５】
【補正対象書類名】明細書
【補正対象項目名】００１１
【補正方法】変更
【補正の内容】
【００１１】
本発明の第１の態様において、前記画面の一以上の表示特性の一は、テキスト・フォント、フォント・サイズ、テキスト・カラー、表示幅、表示高さ、及び前記画面の解像度の一に関連するようにしてもよい。
【手続補正６】
【補正対象書類名】明細書
【補正対象項目名】００１２
【補正方法】変更
【補正の内容】
【００１２】
本発明の第１の態様において、一以上の前記フリーフォーム注釈の一のフリーフォーム注釈は、ストローク、ジェスチュア、及び任意形状の手書きの一以上であるようにしてもよい。
【手続補正７】
【補正対象書類名】明細書
【補正対象項目名】００１３
【補正方法】変更
【補正の内容】
【００１３】
本発明の第１の態様において、一以上の前記入力装置の一の入力装置が、キーボード、マウス及びスタイラスの一であるようにしてもよい。
【手続補正８】
【補正対象書類名】明細書
【補正対象項目名】００１４
【補正方法】変更
【補正の内容】
【００１４】
本発明の第１の態様は、メモリ及び／又は持続記憶装置に前記デジタル・ドキュメントを記憶する、ことをさらに含むようにしてもよい。
【手続補正９】
【補正対象書類名】明細書
【補正対象項目名】００１５
【補正方法】変更
【補正の内容】
【００１５】
本発明の第１の態様は、（ａ）が、マイクロソフト・インターネット・エクスプローラ（Ｍｉｃｒｏｓｏｆｔ  Ｉｎｔｅｒｎｅｔ  Ｅｘｐｌｏｒｅｒ）のコントロールを使用し、前記デジタル・ドキュメントの境界ボックスを得るために、ドキュメント・オブジェクト・モデル（Ｄｏｃｕｍｅｎｔ  Ｏｂｊｅｃｔ  Ｍｏｄｅｌ）にアクセスする、ことを含むようにしてもよい。
【手続補正１０】
【補正対象書類名】明細書
【補正対象項目名】００１６
【補正方法】変更
【補正の内容】
【００１６】
本発明の第１の態様は、一以上の前記フリーフォーム注釈を入力するための領域を前記画面に確保するようにしてもよい。
【手続補正１１】
【補正対象書類名】明細書
【補正対象項目名】００１７
【補正方法】変更
【補正の内容】
【００１７】
本発明の第１の態様は、作成、選択、変更、移動、削除、レンダリング、及び表示の少なくとも一を実行し、前記表示コンポーネントの一以上の前記表示特性に基づいて、一以上の注釈マークの一を該表示コンポーネントに表示する、ことによって、前記デジタル・ドキュメントの表示された前記一部の一以上の注釈マークを制御する、ことをさらに含むようにしてもよい。
【手続補正１２】
【補正対象書類名】明細書
【補正対象項目名】００１８
【補正方法】変更
【補正の内容】
【００１８】
一以上の前記注釈マークの一の注釈マークが、前記デジタル・ドキュメントの一部の部分と関連するアンカー、少なくとも二つのアンカーを連結するリンク、及びアンカー又はコネクタの何れかと関連するコメント、の一であるようにしてもよい。
【手続補正１３】
【補正対象書類名】明細書
【補正対象項目名】００１９
【補正方法】変更
【補正の内容】
【００１９】
前記アンカーが、アンダーライン、ハイライト、囲まれた語句、囲まれた領域、括弧、及びマージン・バーの一であり、前記リンクが矢印及びコネクタの一であるようにしてもよい。
【手続補正１４】
【補正対象書類名】明細書
【補正対象項目名】００２０
【補正方法】変更
【補正の内容】
【００２０】
一以上の前記注釈マークをメモリ及び／又は持続記憶装置に記憶すること、をさらに含むようにしてもよい。
【手続補正１５】
【補正対象書類名】明細書
【補正対象項目名】００２１
【補正方法】変更
【補正の内容】
【００２１】
前記選択、移動、変更、及び削除を実行することが、一以上の前記入力装置の一の入力装置を前記注釈マーク上でタップ、ホールド、及びリフトする、ことを含むようにしてもよい。
【手続補正１６】
【補正対象書類名】明細書
【補正対象項目名】００２２
【補正方法】変更
【補正の内容】
【００２２】
前記レンダリングを実行することが、前記注釈マークの境界ボックスをリトリーブすること、前記注釈マークのサイズ変更及び／又は分割を行うこと、表示中の前記デジタル・ドキュメントの前記一部の前記注釈マークを位置変更すること、の少なくとも一を含むようにしてもよい。
【手続補正１７】
【補正対象書類名】明細書
【補正対象項目名】００２３
【補正方法】変更
【補正の内容】
【００２３】
前記コメントをレンダリングするための領域を前記画面上に確保すること、及び／又は、一以上の表示特性の一に基づいて、前記コメントのサイズ変更及び／又は位置変更を行うこと、をさらに含むようにしてもよい。
【手続補正１８】
【補正対象書類名】明細書
【補正対象項目名】００２４
【補正方法】変更
【補正の内容】
【００２４】
一以上のフリーフォーム注釈の一を認識することによって、前記コメントの始まりを識別することをさらに含み、前記フリーフォーム注釈は、表示中の前記デジタル・ドキュメントのブランク領域でスタートし、及び／又は、前記デジタル・ドキュメント上の任意の語句若しくは画像と交わらないようにしてもよい。
【手続補正１９】
【補正対象書類名】明細書
【補正対象項目名】００２５
【補正方法】変更
【補正の内容】
【００２５】
一以上の前記フリーフォーム注釈の一を認識することによって、前記コメントの終わりを識別することをさらに含み、前記フリーフォーム注釈が、ボタンを含む、前記画面上の所定領域におけるクリック、前記コメントの周りを囲むジェスチュア、前記コメントを抹消する（ストライク・スルー・）ジェスチュア、前記画面の下部で跳ね返るストローク、手書きにおいて一般的ではない特殊なジェスチュア、及び前記コメントの左又は右に描かれる縦方向のストローク、の一であるようにしてもよい。
【手続補正２０】
【補正対象書類名】明細書
【補正対象項目名】００２６
【補正方法】変更
【補正の内容】
【００２６】
本発明の第２の態様のフリーフォーム注釈を支援するシステムは、記憶コンポーネントと、表示コンポーネントと、処理コンポーネントと、を備え、前記記憶コンポーネントが、デジタル・ドキュメントと一以上のソフトウェア・コンポーネントとを維持し、前記表示コンポーネントが、該表示コンポーネントの一以上の表示特性に基づいて、前記デジタル・ドキュメントの一部を表示し、一以上の入力装置を介して前記デジタル・ドキュメントの表示された一部に一以上のフリーフォーム注釈を受け入れ、前記処理コンポーネントが、完全に決定的な状態マシンを介して、一以上の前記フリーフォーム注釈を処理する。
【手続補正２１】
【補正対象書類名】明細書
【補正対象項目名】００２７
【補正方法】変更
【補正の内容】
【００２７】
本発明の第２の態様は、前記システムが一以上の情報処理装置の一部であり、一以上の前記情報処理装置の一が、ＰＤＡ、タブレットＰＣ、ポケットＰＣ、携帯電話、電子メッセージ装置、ジャバ（Ｊａｖａ（登録商標））対応装置、ラップトップ若しくはデスクトップＰＣ、ワークステーション、及びメインフレーム・コンピュータの一であるようにしてもよい。
【手続補正２２】
【補正対象書類名】明細書
【補正対象項目名】００２８
【補正方法】変更
【補正の内容】
【００２８】
本発明の第３の態様は、第２の態様のフリーフォーム注釈を支援するシステムであって、前記記憶コンポーネントが、メモリ又は持続記憶装置である。
【手続補正２３】
【補正対象書類名】明細書
【補正対象項目名】００２９
【補正方法】変更
【補正の内容】
【００２９】
本発明の第２の態様において、前記表示コンポーネントが、ＬＣＤ又はＣＲＴモニタを含む画面であるようにしてもよい。
【手続補正２４】
【補正対象書類名】明細書
【補正対象項目名】００３０
【補正方法】変更
【補正の内容】
【００３０】
本発明の第２の態様において、前記処理コンポーネントが、ＣＰＵ、組込ＣＰＵ、又はＭＣＵであるようにしてもよい。
【手続補正２５】
【補正対象書類名】明細書
【補正対象項目名】００３１
【補正方法】変更
【補正の内容】
【００３１】
本発明の第２の態様において、前記デジタル・ドキュメントが、テキスト・ファイル、画像、図、描画、グラフ、ピクチャ、及びビデオ・クリップの少なくとも一を含むようにしてもよい。
【手続補正２６】
【補正対象書類名】明細書
【補正対象項目名】００３２
【補正方法】変更
【補正の内容】
【００３２】
本発明の第２の態様において、一以上の前記ソフトウェア・コンポーネントの一が、Ｃ、Ｃ＋＋、ビジュアル・ベーシック（Ｖｉｓｕａｌ  Ｂａｓｉｃ）、ジャバ（Ｊａｖａ（登録商標））、及びジャバ・アプレット（Ｊａｖａ（登録商標）  Ａｐｐｌｅｔ）の一以上のプログラム言語により実現されるようにしてもよい。
【手続補正２７】
【補正対象書類名】明細書
【補正対象項目名】００３３
【補正方法】変更
【補正の内容】
【００３３】
本発明の第２の態様において、前記表示コンポーネントの一以上の前記表示特性の一が、テキスト・フォント、フォント・サイズ、テキスト・カラー、表示デバイスの表示幅、表示高さ、及び解像度の一に関連するようにしてもよい。
【手続補正２８】
【補正対象書類名】明細書
【補正対象項目名】００３４
【補正方法】変更
【補正の内容】
【００３４】
本発明の第４の態様は、第２の態様のフリーフォーム注釈を支援するシステムであって、一以上の前記入力装置の一が、マウス及びスタイラスの一である。
【手続補正２９】
【補正対象書類名】明細書
【補正対象項目名】００３５
【補正方法】変更
【補正の内容】
【００３５】
本発明の第５の態様は、第２の態様のフリーフォーム注釈を支援するシステムであって、一以上の前記フリーフォーム注釈の一が、ストローク、ジェスチュア、及び任意形状の手書きの一以上である。
【手続補正３０】
【補正対象書類名】明細書
【補正対象項目名】００３６
【補正方法】変更
【補正の内容】
【００３６】
本発明の第２の態様において、前記表示コンポーネントは、さらに、マイクロソフト・インターネット・エクスプローラ（Ｍｉｃｒｏｓｏｆｔ  Ｉｎｔｅｒｎｅｔ  Ｅｘｐｌｏｒｅｒ）のコントロールを利用し、前記デジタル・ドキュメントの境界ボックスを得るために、ドキュメント・オブジェクト・モデル（Ｄｏｃｕｍｅｎｔ  Ｏｂｊｅｃｔ  Ｍｏｄｅｌ）にアクセスするようにしてもよい。
【手続補正３１】
【補正対象書類名】明細書
【補正対象項目名】００３７
【補正方法】変更
【補正の内容】
【００３７】
本発明の第６の態様は、第２の態様のフリーフォーム注釈を支援するシステムであって、前記表示コンポーネントが、さらに、一以上の前記フリーフォーム注釈を入力するための領域を前記画面上に確保する。
【手続補正３２】
【補正対象書類名】明細書
【補正対象項目名】００３８
【補正方法】変更
【補正の内容】
【００３８】
本発明の第７の態様は、第２の態様のフリーフォーム注釈を支援するシステムであって、前記処理コンポーネントが、さらに、
作成、選択、変更、移動、削除、レンダリング、及び表示の少なくとも一を実行し、前記表示コンポーネントの一以上の前記表示特性に基づいて、一以上の注釈マークの一を該表示コンポーネントに表示する、ことによって、前記デジタル・ドキュメントの表示された前記一部の一以上の注釈マークを制御する。
【手続補正３３】
【補正対象書類名】明細書
【補正対象項目名】００３９
【補正方法】変更
【補正の内容】
【００３９】
本発明の第８の態様は、第７の態様のフリーフォーム注釈を支援するシステムであって、一以上の前記注釈マークの一が、前記デジタル・ドキュメントの一部の部分と関連するアンカー、少なくとも二のアンカーを連結するリンク、及びアンカー又はコネクタの何れかと関連するコメント、の一である。
【手続補正３４】
【補正対象書類名】明細書
【補正対象項目名】００４０
【補正方法】変更
【補正の内容】
【００４０】
本発明の第９の態様は、第８の態様のフリーフォーム注釈を支援するシステムであって、前記アンカーが、アンダーライン、ハイライト、囲まれた語句、囲まれた領域、括弧、及びマージン・バーの一であり、前記リンクが矢印及びコネクタの一である。
【手続補正３５】
【補正対象書類名】明細書
【補正対象項目名】００４１
【補正方法】変更
【補正の内容】
【００４１】
本発明の第１０の態様は、第７の態様のフリーフォーム注釈を支援するシステムであって、前記記憶コンポーネントが、一以上の前記注釈マークを維持する。
【手続補正３６】
【補正対象書類名】明細書
【補正対象項目名】００４２
【補正方法】変更
【補正の内容】
【００４２】
本発明の第１１の態様は、第７の態様のフリーフォーム注釈を支援するシステムであって、前記処理コンポーネントは、さらに、前記注釈マーク上で一以上の前記入力装置の一をタップ、ホールド、及びリフトすることによって、該注釈マークの選択、移動、変更、及び削除の少なくとも一を実行する。
【手続補正３７】
【補正対象書類名】明細書
【補正対象項目名】００４３
【補正方法】変更
【補正の内容】
【００４３】
本発明の第１２の態様は、第７の態様のフリーフォーム注釈を支援するシステムであって、前記処理コンポーネントは、さらに、前記注釈マークの境界ボックスをリトリーブすること、前記注釈マークのサイズ変更及び／又は分割を行うこと、表示中の前記デジタル・ドキュメントの前記一部の前記注釈マークを位置変更すること、の少なくとも一により、前記注釈マークをレンダリングする。
【手続補正３８】
【補正対象書類名】明細書
【補正対象項目名】００４４
【補正方法】変更
【補正の内容】
【００４４】
本発明の第１３の態様は、第８の態様のフリーフォーム注釈を支援するシステムであって、前記処理コンポーネントは、さらに、前記コメントをレンダリングする領域を前記画面上に確保すること、及び／又は、一以上の前記表示特性の一に基づいて、前記コメントのサイズ変更及び／又は位置変更を行うこと、によって、前記コメントをレンダリングする。
【手続補正３９】
【補正対象書類名】明細書
【補正対象項目名】００４５
【補正方法】変更
【補正の内容】
【００４５】
本発明の第１４の態様は、第８の態様のフリーフォーム注釈を支援するシステムであって、前記処理コンポーネントは、さらに、一以上の前記フリーフォーム注釈の一を認識することによって前記コメントの始まりを識別し、前記フリーフォーム注釈が、表示中の前記デジタル・ドキュメントのブランク領域でスタートし、及び／又は、前記デジタル・ドキュメント上の任意の語句や画像と交わらない。
【手続補正４０】
【補正対象書類名】明細書
【補正対象項目名】００４６
【補正方法】変更
【補正の内容】
【００４６】
本発明の第１５の態様は、第８の態様のフリーフォーム注釈を支援するシステムであって、前記処理コンポーネントは、さらに、一以上の前記フリーフォーム注釈の一を認識することによって、前記コメントの終わりを識別し、前記フリーフォーム注釈が、ボタンを含む、前記画面上の所定領域のクリック、前記コメントの周りを囲むジェスチュア、前記コメントを抹消する（ストライク・スルー・）ジェスチュア、前記画面の下部で跳ね返るストローク、手書きにおいて一般的ではない特殊なジェスチュア、前記コメントの左又は右に描かれる縦方向のストローク、の一である。
【手続補正４１】
【補正対象書類名】明細書
【補正対象項目名】００４７
【補正方法】変更
【補正の内容】
【００４７】
本発明の第１６の態様のフリーフォーム注釈を支援するプログラムは、デジタル・ドキュメントの一部を読み込み、画面の一以上の表示特性に基づいて、該画面に該デジタル・ドキュメントの一部を表示するステップと、一以上の入力装置を介して、表示された前記デジタル・ドキュメントの一部に、一以上のフリーフォーム注釈を受け入れるステップと、完全に決定的な状態マシンを介して、一以上の前記フリーフォーム注釈を処理するステップと、を、システムに実行させる。
【手続補正４２】
【補正対象書類名】明細書
【補正対象項目名】００４８
【補正方法】変更
【補正の内容】
【００４８】
本発明の第１６の態様は、一以上の情報処理装置に組み込まれ、及び、一以上の情報処理装置において稼動され、一以上の前記情報処理装置の一の情報処理装置は、ＰＤＡ、タブレットＰＣ、ポケットＰＣ、携帯電話、電子メッセージ装置、ジャバ（Ｊａｖａ（登録商標））対応装置、ラップトップＰＣ、デスクトップＰＣ、ワークステーション、及び、メインフレーム・コンピュータの何れかであるようにしてもよい。
【手続補正４３】
【補正対象書類名】明細書
【補正対象項目名】００４９
【補正方法】変更
【補正の内容】
【００４９】
本発明の第１６の態様は、Ｃ、Ｃ＋＋、ビジュアル・ベーシック（Ｖｉｓｕａｌ  Ｂａｓｉｃ）、ジャバ（Ｊａｖａ（登録商標））、及びジャバ・アプレット（Ｊａｖａ（登録商標）  Ａｐｐｌｅｔ）の一以上のプログラム言語により実現されるようにしてもよい。
【手続補正４４】
【補正対象書類名】明細書
【補正対象項目名】００５０
【補正方法】変更
【補正の内容】
【００５０】
本発明の第１６の態様において、前記デジタル・ドキュメントは、テキスト・ファイル、画像、図、描画、グラフ、ピクチャ、及びビデオ・クリップの少なくとも一を含むようにしてもよい。
【手続補正４５】
【補正対象書類名】明細書
【補正対象項目名】００５１
【補正方法】変更
【補正の内容】
【００５１】
本発明の第１６の態様において、前記画面の一以上の表示特性の一は、テキスト・フォント、フォント・サイズ、テキスト・カラー、表示幅、表示高さ、及び前記画面の解像度の一に関連するようにしてもよい。
【手続補正４６】
【補正対象書類名】明細書
【補正対象項目名】００５２
【補正方法】変更
【補正の内容】
【００５２】
本発明の第１６の態様において、一以上の前記フリーフォーム注釈の一のフリーフォーム注釈は、ストローク、ジェスチュア、及び任意形状の手書きの一以上であるようにしてもよい。
【手続補正４７】
【補正対象書類名】明細書
【補正対象項目名】００５３
【補正方法】変更
【補正の内容】
【００５３】
本発明の第１６の態様において、一以上の前記入力装置の一の入力装置が、キーボード、マウス及びスタイラスの一であるようにしてもよい。
【手続補正４８】
【補正対象書類名】明細書
【補正対象項目名】００５４
【補正方法】変更
【補正の内容】
【００５４】
本発明の第１６の態様において、メモリ及び／又は持続記憶装置に前記デジタル・ドキュメントを記憶するステップ、をさらに含むようにしてもよい。
【手続補正４９】
【補正対象書類名】明細書
【補正対象項目名】００５５
【補正方法】変更
【補正の内容】
【００５５】
本発明の第１６の態様において、前記デジタル・ドキュメントを読み込むために、マイクロソフト・インターネット・エクスプローラ（Ｍｉｃｒｏｓｏｆｔ  Ｉｎｔｅｒｎｅｔ  Ｅｘｐｌｏｒｅｒ）のコントロールを使用するステップと、一以上の前記表示特性を得るために、ドキュメント・オブジェクト・モデル（Ｄｏｃｕｍｅｎｔ  Ｏｂｊｅｃｔ  Ｍｏｄｅｌ）にアクセスするステップと、をさらに含むようにしてもよい。
【手続補正５０】
【補正対象書類名】明細書
【補正対象項目名】００５６
【補正方法】変更
【補正の内容】
【００５６】
本発明の第１６の態様において、一以上の前記フリーフォーム注釈を入力するための領域を前記画面に確保するステップ、をさらに含むようにしてもよい。
【手続補正５１】
【補正対象書類名】明細書
【補正対象項目名】００５７
【補正方法】変更
【補正の内容】
【００５７】
本発明の第１６の態様は、作成、選択、変更、移動、削除、レンダリング、及び表示の少なくとも一を実行し、前記表示コンポーネントの一以上の前記表示特性に基づいて、一以上の注釈マークの一を該表示コンポーネントに表示する、ことによって、前記デジタル・ドキュメントの表示された前記一部の一以上の注釈マークを制御するステップ、をさらに含むようにしてもよい。
【手続補正５２】
【補正対象書類名】明細書
【補正対象項目名】００５８
【補正方法】変更
【補正の内容】
【００５８】
一以上の前記注釈マークの一の注釈マークが、前記デジタル・ドキュメントの一部の部分と関連するアンカー、少なくとも二つのアンカーを連結するリンク、及びアンカー又はコネクタの何れかと関連するコメント、の一であるようにしてもよい。
【手続補正５３】
【補正対象書類名】明細書
【補正対象項目名】００５９
【補正方法】変更
【補正の内容】
【００５９】
前記アンカーが、アンダーライン、ハイライト、囲まれた語句、囲まれた領域、括弧、及びマージン・バーの一であり、前記リンクが矢印及びコネクタの一であるようにしてもよい。
【手続補正５４】
【補正対象書類名】明細書
【補正対象項目名】００６０
【補正方法】変更
【補正の内容】
【００６０】
一以上の前記注釈マークをメモリ及び／又は持続記憶装置に記憶するステップ、をさらに含むようにしてもよい。
【手続補正５５】
【補正対象書類名】明細書
【補正対象項目名】００６１
【補正方法】変更
【補正の内容】
【００６１】
前記選択、移動、変更、及び削除の一は、一以上の前記入力装置の一の入力装置を前記注釈マーク上でタップ、ホールド、及びリフトすることにより、実行されるようにしてもよい。
【手続補正５６】
【補正対象書類名】明細書
【補正対象項目名】００６２
【補正方法】変更
【補正の内容】
【００６２】
前記注釈マークの境界ボックスをリトリーブすること、前記注釈マークのサイズ変更及び／又は分割を行うこと、表示中の前記デジタル・ドキュメントの前記一部の前記注釈マークを位置変更すること、の少なくとも一により、前記注釈マークのレンダリングを実行するようにしてもよい。
【手続補正５７】
【補正対象書類名】明細書
【補正対象項目名】００６３
【補正方法】変更
【補正の内容】
【００６３】
前記コメントをレンダリングするための領域を前記画面上に確保すること、及び／又は、一以上の表示特性の一に基づいて、前記コメントのサイズ変更及び／又は位置変更を行うこと、をさらに含むようにしてもよい。
【手続補正５８】
【補正対象書類名】明細書
【補正対象項目名】００６４
【補正方法】変更
【補正の内容】
【００６４】
一以上のフリーフォーム注釈の一を認識することによって、前記コメントの始まりを識別するステップをさらに含み、前記フリーフォーム注釈は、表示中の前記デジタル・ドキュメントのブランク領域でスタートし、及び／又は、前記デジタル・ドキュメント上の任意の語句若しくは画像と交わらないようにしてもよい。
【手続補正５９】
【補正対象書類名】明細書
【補正対象項目名】００６５
【補正方法】変更
【補正の内容】
【００６５】
一以上の前記フリーフォーム注釈の一を認識することによって、前記コメントの終わりを識別するステップをさらに含み、前記フリーフォーム注釈が、ボタンを含む、前記画面上の所定領域におけるクリック、前記コメントの周りを囲むジェスチュア、前記コメントを抹消する（ストライク・スルー・）ジェスチュア、前記画面の下部で跳ね返るストローク、手書きにおいて一般的ではない特殊なジェスチュア、及び前記コメントの左又は右に描かれる縦方向のストローク、の一であるようにしてもよい。
【手続補正６０】
【補正対象書類名】明細書
【補正対象項目名】００６６
【補正方法】変更
【補正の内容】
【００６６】
本発明の第１７の態様のフリーフォーム注釈を支援するシステムは、デジタル・ドキュメントの一部を読み込み、画面の一以上の表示特性に基づいて、該画面に該デジタル・ドキュメントの一部を表示する手段と、一以上の入力装置を介して、表示された前記デジタル・ドキュメントの一部に、一以上のフリーフォーム注釈を受け入れる手段と、完全に決定的な状態マシンを介して、前記一以上のフリーフォーム注釈を処理する手段と、を備える。